(57)【要約】【課題】携帯型情報処理装置を充電することが可能な状況にあることを、より確実にユーザに通知できるようにする。【解決手段】通知判定部２１２が、電源部１８２の有する二次電池に充電するセッティングを行って当該二次電池に充電することが可能な状況にあると判定すると、第１表示部としての表示部１１１および音声出力部１２１が充電セッティング可能通知を行う。その後、タイマ部２１３が、当該充電セッティング可能通知を行ってから、携帯電話機１の移動が検出されず、かつ、二次電池への充電が検出されない状態の継続時間を測定する。そして、通知判定部２１２が、当該継続時間が所定の通知間隔時間以上になったと判定すると、第２表示部としての表示部１１１および音声出力部１２１が、充電セッティング可能通知を再度行う。その際、第２表示部としての音声出力部１２１は、第１表示部として通知を行う場合よりも大きい音量で通知を行う。【選択図】図１
2012257009.tif 000002
【特許請求の範囲】
【請求項１】
二次電池を有する携帯型情報処理装置であって、
前記携帯型情報処理装置の位置に関する位置関連情報を取得する位置関連情報取得部と、
前記位置関連情報取得部が取得する前記位置関連情報に基づいて、前記二次電池への充電を行うセッティングが可能である旨の通知を行うか否かを判定する通知判定部と、
前記通知判定部が通知を行うと判定すると、前記二次電池への充電を行うセッティングが可能である旨の通知を行う第１通知部と、
前記位置関連情報取得部が取得する前記位置関連情報に基づいて、前記携帯型情報処理装置が移動したか否かを判定する移動有無判定部と、
前記二次電池への充電が行われているか否かを判定する充電有無判定部と、
前記第１通知部が前記通知を行ってから、前記移動有無判定部が前記携帯型情報処理装置が移動していないと判定し、かつ、充電有無判定部が前記二次電池への充電が行われていないと判定する状態の継続時間を測定するタイマ部と、
前記タイマ部が測定する前記継続時間が所定の時間以上になると、前記二次電池への充電を行うセッティングが可能である旨の音声通知を行う第２通知部と、
を具備し、
前記第２通知部は、前記第１通知部が音声通知を行う場合は、当該第１通知部よりも大きい音量で前記音声通知を行う、ことを特徴とする携帯型情報処理装置。
【請求項２】
電波を受信して前記二次電池を充電する充電部と、
前記充電部が前記二次電池への充電を開始すると、振動による通知を行う振動部と、
を具備することを特徴とする請求項１に記載の携帯型情報処理装置。
【請求項３】
電子メールを受信する受信部と、
前記受信部が受信した電子メールのうち未読の電子メールの有無を判定する未読メール判定部と、
を具備し、
前記第１通知部は、前記通知判定部が通知を行うと判定し、かつ、前記未読メール判定部が未読の電子メール有りと判定すると、前記未読の電子メールの確認を促す通知を行う、ことを特徴とする請求項１または請求項２に記載の携帯型情報処理装置。
【請求項４】
スケジュール時刻を含むスケジュール情報を管理するスケジュール機能部を具備し、
前記第１通知部は、前記通知判定部が通知を行うと判定し、かつ、前記スケジュール機能部がスケジュール時刻を経過しかつ未確認のスケジュール情報有りと判定すると、前記未確認のスケジュール情報の確認を促す通知を行う、ことを特徴とする請求項１から３のいずれか一項に記載の携帯型情報処理装置。
【請求項５】
二次電池を有する携帯型情報処理装置の充電セッティング可能通知方法であって、
前記携帯型情報処理装置の位置に関する位置関連情報を取得する位置関連情報取得ステップと、
前記位置関連情報取得ステップにて取得する前記位置関連情報に基づいて、前記二次電池への充電を行うセッティングが可能である旨の通知を行うか否かを判定する通知判定ステップと、
前記通知判定ステップにて通知を行うと判定すると、前記二次電池への充電を行うセッティングが可能である旨の通知を行う第１通知ステップと、
前記位置関連情報取得ステップにて取得する前記位置関連情報に基づいて、前記携帯型情報処理装置が移動したか否かを判定する移動有無判定ステップと、
前記二次電池への充電が行われているか否かを判定する充電有無判定ステップと、
前記第１通知ステップにて前記通知を行ってから、前記移動有無判定ステップにて前記携帯型情報処理装置が移動していないと判定し、かつ、充電有無判定ステップにて前記二次電池への充電が行われていないと判定する状態の継続時間を測定するタイマステップと、
前記タイマステップにて測定する前記継続時間が所定の時間以上になると、前記二次電池への充電を行うセッティングが可能である旨の音声通知を行う第２通知ステップと、
を具備し、
前記第２通知ステップでは、前記第１通知ステップにて音声通知を行う場合は、当該第１通知ステップよりも大きい音量で前記音声通知を行う、ことを特徴とする充電可能通知方法。
【請求項６】
二次電池を有する携帯型情報処理装置を制御するコンピュータに、
前記携帯型情報処理装置の位置に関する位置関連情報を取得する位置関連情報取得ステップと、
前記位置関連情報取得ステップにて取得する前記位置関連情報に基づいて、前記二次電池への充電を行うセッティングが可能である旨の通知を行うか否かを判定する通知判定ステップと、
前記通知判定ステップにて通知を行うと判定すると、前記二次電池への充電を行うセッティングが可能である旨の通知を行う第１通知ステップと、
前記位置関連情報取得ステップにて取得する前記位置関連情報に基づいて、前記携帯型情報処理装置が移動したか否かを判定する移動有無判定ステップと、
前記二次電池への充電が行われているか否かを判定する充電有無判定ステップと、
前記第１通知ステップにて前記通知を行ってから、前記移動有無判定ステップにて前記携帯型情報処理装置が移動していないと判定し、かつ、充電有無判定ステップにて前記二次電池への充電が行われていないと判定する状態の継続時間を測定するタイマステップと、
前記タイマステップにて測定する前記継続時間が所定の時間以上になると、前記二次電池への充電を行うセッティングが可能である旨の音声通知を行う第２通知ステップと、
を実行させ、
前記第２通知ステップでは、前記第１通知ステップにて音声通知を行う場合は、当該第１通知ステップよりも大きい音量で前記音声通知を行わせるためのプログラム。
【発明の詳細な説明】
【技術分野】
【０００１】
本発明は、二次電池を有する携帯型情報処理装置、当該携帯型情報処理装置の充電可能通知方法およびプログラムに関する。
【背景技術】
【０００２】
特許文献１に記載の携帯端末装置は、当該携帯端末装置が充電可能な位置にあるか否かを判断し、充電可能な位置にある場合は、充電に関するガイダンスを出力するなどして充電を促す。これによって、ユーザ（User）は携帯端末装置を充電することが可能な状況にあることを極めて容易に知ることができ、ユーザが携帯端末装置を使用している途中に電池切れとなるような不都合を防ぐことが可能となる。
【先行技術文献】
【特許文献】
【０００３】
【特許文献１】特開２００９−１７６２１号公報
【発明の概要】
【発明が解決しようとする課題】
【０００４】
ここで、携帯端末装置などの携帯型情報処理装置を充電することが可能な状況にあることを、より確実にユーザに通知できれば、ユーザが携帯型情報処理装置を使用している途中に電池切れとなるような不都合を、より確実に防ぐことが可能となる。例えば、携帯型情報処理装置が鞄の中に置き忘れられている場合にも、携帯型情報処理装置を充電することが可能な状況にあることをユーザに通知することで、ユーザが携帯型情報処理装置を使用している途中に電池切れとなるような不都合を、より確実に防ぐことが可能となる。
【０００５】
本発明は、上述の課題を解決することのできる携帯型情報処理装置、充電可能通知方法およびプログラムを提供することを目的としている。
【課題を解決するための手段】
【０００６】
この発明は上述した課題を解決するためになされたもので、本発明の一態様による携帯型情報処理装置は、二次電池を有する携帯型情報処理装置であって、前記携帯型情報処理装置の位置に関する位置関連情報を取得する位置関連情報取得部と、前記位置関連情報取得部が取得する前記位置関連情報に基づいて、前記二次電池への充電を行うセッティングが可能である旨の通知を行うか否かを判定する通知判定部と、前記通知判定部が通知を行うと判定すると、前記二次電池への充電を行うセッティングが可能である旨の通知を行う第１通知部と、前記位置関連情報取得部が取得する前記位置関連情報に基づいて、前記携帯型情報処理装置が移動したか否かを判定する移動有無判定部と、前記二次電池への充電が行われているか否かを判定する充電有無判定部と、前記第１通知部が前記通知を行ってから、前記移動有無判定部が前記携帯型情報処理装置が移動していないと判定し、かつ、充電有無判定部が前記二次電池への充電が行われていないと判定する状態の継続時間を測定するタイマ部と、前記タイマ部が測定する前記継続時間が所定の時間以上になると、前記二次電池への充電を行うセッティングが可能である旨の音声通知を行う第２通知部と、を具備し、前記第２通知部は、前記第１通知部が音声通知を行う場合は、当該第１通知部よりも大きい音量で前記音声通知を行う、ことを特徴とする。
【０００７】
また、本発明の一態様による充電可能通知方法は、二次電池を有する携帯型情報処理装置の充電セッティング可能通知方法であって、前記携帯型情報処理装置の位置に関する位置関連情報を取得する位置関連情報取得ステップと、前記位置関連情報取得ステップにて取得する前記位置関連情報に基づいて、前記二次電池への充電を行うセッティングが可能である旨の通知を行うか否かを判定する通知判定ステップと、前記通知判定ステップにて通知を行うと判定すると、前記二次電池への充電を行うセッティングが可能である旨の通知を行う第１通知ステップと、前記位置関連情報取得ステップにて取得する前記位置関連情報に基づいて、前記携帯型情報処理装置が移動したか否かを判定する移動有無判定ステップと、前記二次電池への充電が行われているか否かを判定する充電有無判定ステップと、前記第１通知ステップにて前記通知を行ってから、前記移動有無判定ステップにて前記携帯型情報処理装置が移動していないと判定し、かつ、充電有無判定ステップにて前記二次電池への充電が行われていないと判定する状態の継続時間を測定するタイマステップと、前記タイマステップにて測定する前記継続時間が所定の時間以上になると、前記二次電池への充電を行うセッティングが可能である旨の音声通知を行う第２通知ステップと、を具備し、前記第２通知ステップでは、前記第１通知ステップにて音声通知を行う場合は、当該第１通知ステップよりも大きい音量で前記音声通知を行う、ことを特徴とする。
【０００８】
また、本発明の一態様によるプログラムは、二次電池を有する携帯型情報処理装置を制御するコンピュータに、前記携帯型情報処理装置の位置に関する位置関連情報を取得する位置関連情報取得ステップと、前記位置関連情報取得ステップにて取得する前記位置関連情報に基づいて、前記二次電池への充電を行うセッティングが可能である旨の通知を行うか否かを判定する通知判定ステップと、前記通知判定ステップにて通知を行うと判定すると、前記二次電池への充電を行うセッティングが可能である旨の通知を行う第１通知ステップと、前記位置関連情報取得ステップにて取得する前記位置関連情報に基づいて、前記携帯型情報処理装置が移動したか否かを判定する移動有無判定ステップと、前記二次電池への充電が行われているか否かを判定する充電有無判定ステップと、前記第１通知ステップにて前記通知を行ってから、前記移動有無判定ステップにて前記携帯型情報処理装置が移動していないと判定し、かつ、充電有無判定ステップにて前記二次電池への充電が行われていないと判定する状態の継続時間を測定するタイマステップと、前記タイマステップにて測定する前記継続時間が所定の時間以上になると、前記二次電池への充電を行うセッティングが可能である旨の音声通知を行う第２通知ステップと、を実行させ、前記第２通知ステップでは、前記第１通知ステップにて音声通知を行う場合は、当該第１通知ステップよりも大きい音量で前記音声通知を行わせるためのプログラムである。
【発明の効果】
【０００９】
本発明によれば、携帯型情報処理装置を充電することが可能な状況にあることを、より確実にユーザに通知することができる。
【図面の簡単な説明】
【００１０】
【図１】本発明の一実施形態における携帯電話機の構成を示す概略ブロック図である。
【図２】同実施形態において、携帯電話機が充電セッティング可能通知を行う処理手順を示すフローチャートである。
【図３】同実施形態において、携帯電話機が通知内容を決定する処理手順を示すフローチャートである。
【図４】同実施形態において、携帯電話機が充電セッティング可能通知の再通知を行う処理手順を示すフローチャートである。
【発明を実施するための形態】
【００１１】
以下、図面を参照して、本発明の実施の形態について説明する。
図１は、本発明の一実施形態における携帯電話機の構成を示す概略ブロック図である。
同図において、携帯電話機（携帯型情報処理装置）１は、位置関連情報取得部１０１と、表示部１１１と、表示制御部１１２と、音声出力部１２１と、音声入力部１２２と、音声処理部１２３と、振動部１３１と、操作入力部１４１と、無線部（受信部）１７１と、充電部（充電有無判定部）１８１と、電源部１８２と、制御部２００と、記憶部３０１とを具備する。制御部２００は、振動制御部２０２と、入力処理部２０３と、移動有無判定部２１１と、通知判定部２１２と、タイマ部２１３と、音声通話機能部２１４と、電子メール機能部（未読メール判定部）２１５と、スケジュール機能部２１６とを具備する。
【００１２】
携帯電話機１は、本発明における携帯型情報処理装置の一例であり、二次電池を有して当該二次電池から供給される電力を用いて音声通話機能や電子メール機能などの各種機能を実行する。なお、本発明の適用範囲は携帯電話機に限らない。例えば、携帯情報端末（Personal Digital Assistant；ＰＤＡ）や、タブレットＰＣ（Personal Computer）や、ノートパソコン（ノート型パーソナルコンピュータ、Laptop Computer）など、二次電池を有する様々な携帯型情報処理装置に本発明を適用可能である。
なお、ここでいう携帯型情報処理装置は、持ち運び可能な情報処理装置であり、通信ネットワークに接続して用いられる携帯端末装置と、持ち運び可能かつ独立型（Stand-alone）の情報処理装置とを含む。
【００１３】
位置関連情報取得部１０１は、携帯電話機１の位置に関する位置関連情報を取得する。具体的には、位置関連情報取得部１０１は、ＧＰＳ（Global Positioning System、全地球方位システム）機能を有し、ＧＰＳ衛星から送信される信号に基づいて、携帯電話機１の緯度および経度を位置関連情報として算出する。
【００１４】
ここでいう位置関連情報は、携帯電話機１が、当該携帯電話機１の有する二次電池への充電を行うセッティングが可能な位置として設定されている所定の位置（以下、「充電セッティング可能位置」と称する。また、充電セッティング可能位置の集合を、「充電セッティング可能エリア」と称する）にあるか否かを示す情報である。例えば、携帯電話機１の有する二次電池用の充電器（以下、携帯電話機１の有する二次電池用の充電器を、単に「充電器」と称する）が、北緯３６度６分１６．３秒、東経１４０度、５分１４．３秒に設置され、充電セッティング可能エリアが、北緯３６度６分１６．２秒〜北緯３６度６分１６．４秒、かつ、東経１４０度、５分１４．２秒〜東経１４０度、５分１４．４秒の範囲に設定されている場合に、位置関連情報取得部１０１は、位置関連情報として、携帯電話機１の位置情報を、北緯、東経共に０．１秒の精度で算出する。この位置関連情報の示す値が、充電セッティング可能エリアの示す値に含まれるか否かを判定することにより、通知判定部２１２は、携帯電話機１の有する二次電池への充電を行うセッティングが可能である旨の通知（以下、「充電セッティング可能通知」と称する）を行うか否かを判定することができる。
ここで、携帯電話機１の有する二次電池への充電を行うセッティングを行うことで、当該二次電池への充電が可能となる。従って、充電セッティング可能通知を、充電可能通知とも称する。
【００１５】
なお、位置関連情報取得部１０１が取得する位置関連情報は、携帯電話機１の緯度および経度の情報に限らない。
例えば、位置関連情報取得部１０１が、位置関連情報として、携帯電話基地局から提供されるエリアコードまたはエリア名称を取得するようにしてもよい。この場合、記憶部３０１が、充電器が設置されたエリアのエリアコードまたはエリア名称を予め記憶しておく。この予め記憶しているエリアコードまたはエリア名称と、携帯電話基地局から提供されるエリアコードまたはエリア名称とが一致するか否かを判定することで、通知判定部２１２は、充電セッティング可能通知を行うか否かを判定することができる。
【００１６】
あるいは、充電器が設置された位置がワイヤレスＬＡＮ（Wireless Local Area Network；Ｗ−ＬＡＮ）のアクセス圏内に含まれる場合に、携帯電話機１が、当該ワイヤレスＬＡＮへの接続機能を有し、位置関連情報取得部１０１が、接続可能なワイヤレスＬＡＮのアクセスポイントの識別情報を位置関連情報として取得するようにしてもよい。この場合、記憶部３０１は、充電器が設置された位置をカバーするアクセスポイントの識別情報を予め記憶しておく。この予め記憶している識別情報と、接続可能なアクセスポイントの識別情報とが一致するか否かを判定することで、通知判定部２１２は、充電セッティング可能通知を行うか否かを判定することができる。
【００１７】
あるいは、充電器が設置された位置をカバーするフェムトセル基地局装置が存在する場合、位置関連情報取得部１０１が、通信可能な基地局装置の識別情報を位置関連情報として取得するようにしてもよい。この場合も、ワイヤレスＬＡＮのアクセスポイントの識別情報を取得する場合と同様に、通知判定部２１２は、充電セッティング可能通知を行うか否かを判定することができる。
【００１８】
あるいは、充電器の近傍に、例えば赤外線通信機器などの近距離通信機器が設置されている場合、携帯電話機１が、当該近距離通信機器との通信機能を有し、位置関連情報取得部１０１が、当該近距離通信機器と通信可能か否かを示す情報を、位置関連情報として取得するようにしてもよい。この位置関連情報が通信可能であることを示す場合、通知判定部２１２は、充電セッティング可能通知を行うと判定することができる。一方、この位置関連情報が通信不可であることを示す場合、通知判定部２１２は、充電セッティング可能通知を行わないと判定することができる。
【００１９】
表示部１１１は、例えば液晶パネル等の表示画面を有し、表示制御部１１２の制御に従って、動画像や静止画像や文字列（テキスト）など各種情報を表示する。特に、表示部１１１は、通知判定部２１２が充電セッティング可能通知を行うと判定した場合に、当該通知を行うためのメッセージを表示する。
【００２０】
表示制御部１１２は、表示部１１１を制御して各種情報を表示させる。例えば、表示制御部１１２は、電子メール機能部２１５が電子メール閲覧機能を実行する際に、電子メール表示用データが電子メール機能部２１５から出力されると、当該データを、表示部１１１の画素単位の制御信号に変換して表示部１１１に出力することで、表示部１１１に電子メールを表示させる。
【００２１】
音声出力部１２１は、スピーカを有し、音声処理部１２３から出力される電気信号に従ってスピーカを振動させて音声を出力する。特に、音声出力部１２１は、通知判定部２１２が充電セッティング可能通知を行うと判定した場合に、当該通知を行うための音声を出力する。
音声入力部１２２は、マイクを有し、周囲音を採取してアナログの電気信号に変換し、音声処理部１２３に出力する。
音声処理部１２３は、音声入力部１２２からアナログの電気信号にて出力される音声信号をデジタル信号に変換して制御部２００に出力する。また、音声処理部１２３は、制御部２００からデジタルの電気信号にて出力される音声信号を、アナログの電気信号に変換して音声出力部１２１に出力する。
【００２２】
操作入力部１４１は、０〜９の数字キーや、上下左右の方向キーや、決定キーなどのキーボタンを有し、キーボタンが押下されると、押下されたキーボタンに応じた信号を制御部２００に出力する。
【００２３】
無線部１７１は、アンテナを有し、携帯電話基地局装置から送信されるダウンリンク（Downlink）の電波を受信し、ベースバンドの受信信号への変換や復調等の処理を行ってデータを抽出し、抽出したデータを制御部２００に出力する。また、無線部１７１は、制御部２００から出力されるデータに対して変調や送信周波数の信号への変換等の処理を行って、携帯電話基地局装置へのアップリンク（Uplink）の電波として送信する。特に、無線部１７１は、携帯電話基地局装置から電波にて送信される電子メールを受信する。
【００２４】
電源部１８２は、二次電池を有し、当該二次電池に蓄えられた電力を携帯電話機１の各部に供給する。
充電部１８１は、アンテナを有し、充電器から送信される電波を受信して、電源部１８２の有する二次電池を充電する。より具体的には、充電部１８１は、携帯電話機１が充電器の近傍に位置して、充電器から送信される電波を受信可能な場合に、当該電波を受信して電力に変換し、変換した電力にて二次電池を充電する。
また、充電部１８１は、電源部１８２の有する二次電池への充電が行われているか否かを判定する。すなわち、充電部１８１は、自らが二次電池への充電を行っているか否かを判定する。
【００２５】
振動部１３１は、振動モータを有し、振動制御部２０２の制御に従って携帯電話機１を振動させる。特に、振動部１３１は、充電部１８１が、電源部１８２の有する二次電池への充電を開始すると、振動による通知を行う（携帯電話機１を振動させる）。
【００２６】
制御部２００は、各種機能を実行して携帯電話機１の各部を制御する。制御部２００は、例えば、携帯電話機１の有するＣＰＵ（Central Processing Unit）が、記憶部３０１が記憶するプログラムを読み出して実行することで構築される。
【００２７】
振動制御部２０２は、振動部１３１を制御して携帯電話機１を振動させる。特に、振動制御部２０２は、充電部１８１が、電源部１８２の有する二次電池への充電を開始すると、振動部１３１を制御して携帯電話機１を振動させる。
【００２８】
入力処理部２０３は、操作入力部１４１がキーボタンの押下を受け付けて押下されたキーボタンに応じた信号を出力すると、当該信号に基づいて、押下されたキーボタンを示すデータを生成する。
入力処理部２０３が生成するデータは、電子メール機能部２１５が電子メール編集機能を実行する際の編集操作データや、スケジュール機能部２１６がスケジュール編集機能を実行する際の編集操作データなど、制御部２００が各種機能を実行する際の操作入力データとして用いられる。
【００２９】
移動有無判定部２１１は、位置関連情報取得部１０１が取得する位置関連情報に基づいて、携帯電話機１が移動したか否かを判定する。具体的には、位置関連情報取得部１０１が、位置関連情報として携帯電話機１の緯度および経度を定期的に算出し、移動有無判定部２１１は、位置関連情報取得部１０１が算出する緯度または経度が変化すると、携帯電話機１が移動したと判定し、当該緯度および経度が変化しないときは、携帯電話機１が移動していないと判定する。
【００３０】
なお、位置関連情報取得部１０１が、位置関連情報として、携帯電話基地局から提供されるエリアコードまたはエリア名称を定期的に取得する場合、移動有無判定部２１１は、位置関連情報取得部１０１が取得するエリアコードまたはエリア名称が、前回取得したエリアコードまたはエリア名称と異なる場合は、携帯電話機１が移動したと判定し、当該エリアコードまたはエリア名称が、前回取得したエリアコードまたはエリア名称と同一であるときは、携帯電話機１が移動していないと判定する。ここで、位置関連情報取得部１０１が取得するエリアコードまたはエリア名称が、前回取得したエリアコードまたはエリア名称と異なる場合には、位置関連情報取得部１０１が、前回はエリアコードまたはエリア名称を取得したが、今回はエリアコードまたはエリア名称を取得しなかった場合、および、位置関連情報取得部１０１が、前回はエリアコードまたはエリア名称を取得しなかったが、今回はエリアコードまたはエリア名称を取得した場合を含む。
【００３１】
同様に、位置関連情報取得部１０１が、位置関連情報として、通信可能なワイヤレスＬＡＮのアクセスポイントの識別情報を定期的に取得する場合や、通信可能な基地局装置の識別情報を定期的に取得する場合や、近距離通信機器と通信可能か否かを示す情報を取得する場合も、移動有無判定部２１１は、位置関連情報取得部１０１が前回取得した位置関連情報と今回取得した位置関連情報が同一か否かに従って、携帯電話機１が移動したか否かを判定する。
【００３２】
通知判定部２１２は、位置関連情報取得部１０１が取得する位置関連情報に基づいて、充電セッティング可能通知を行うか否かを判定する。この通知判定部２１２が行う判定については後述する。
【００３３】
タイマ部２１３は、タイマを有し、制御部２００が処理を行う際に様々な時間測定を行う。特に、タイマ部２１３は、後述する第１通知部が通知（充電セッティング可能通知）を行ってから、移動有無判定部２１１が携帯電話機１が移動していないと判定し、かつ、充電部１８１が電源部１８２の有する二次電池への充電が行われていないと判定する状態の継続時間を測定する。タイマ部２１３が行う当該時間測定については後述する。
【００３４】
音声通話機能部２１４は、音声通話機能を実行する。具体的には、音声通話機能部２１４は、発呼処理や終呼処理や着信処理を行う。また、通話時において音声通話機能部２１４は、通話相手の電話機からの音声を、音声処理部１２３を介して音声出力部１２１に出力させ、また、音声入力部１２２が採取する音声を音声処理部１２３からの音声データとして取得すると、当該音声データを無線部１７１に出力して電波にて送信させる。
【００３５】
電子メール機能部２１５は、電子メール閲覧機能や電子メール表示機能など、様々な電子メール機能を実行する。特に、電子メール機能部２１５は、無線部１７１が受信した電子メールのうち未読の電子メールの有無を判定する。具体的には、無線部１７１が受信電波から電子メールデータを抽出して制御部２００に出力すると、当該電子メールデータを、未読／既読の区別を示す未読フラグと対応付けて記憶部３０１に書き込む。そして、電子メール機能部２１５は、各電子メールが未読か既読かに応じて未読フラグを更新し、この未読フラグを用いて未読の電子メールの有無を判定する。
【００３６】
スケジュール機能部２１６は、スケジュール時刻を含むスケジュール情報を管理して、様々なスケジュール機能を実行する。例えば、スケジュール機能部２１６は、スケジュール項目名と、当該スケジュール項目の予定時刻（スケジュール時刻）とを含むスケジュール情報の操作入力を操作入力部１４１が受け付けると、当該スケジュール情報を記憶部３０１に書き込む。また、スケジュール機能部２１６は、操作入力部１４１が受け付けるスケジュール表示要求操作に応じて記憶部３０１からスケジュール情報を読み出し、読み出したスケジュール情報を表示制御部１１２に出力して、表示部１１１に当該スケジュール情報を表示させる。
【００３７】
さらに、スケジュール機能部２１６は、スケジュール時刻経過後に、操作入力部１４１が当該スケジュールの表示要求操作を受け付けると、当該スケジュールの確認が行われたと判定する。そして、スケジュール機能部２１６は、スケジュール時刻が経過し、かつ、当該スケジュールの確認が行われていないスケジュールの有無を判定し、該当するスケジュールが有る場合は、未確認のスケジュール有りと判定する。一方、該当するスケジュールが無い場合、スケジュール機能部２１６は、未確認のスケジュール無しと判定する。
【００３８】
記憶部３０１は、携帯電話機１の有するＣＰＵが制御部２００を構築するためのプログラムや、制御部２００が処理を行うための各種データを記憶する。特に、記憶部３０１は、位置関連情報取得部１０１が取得する位置関連情報や、充電セッティング可能エリアを示す情報など充電セッティング可能通知を行うか否かの判定基準を示す情報を記憶する。また、記憶部３０１は、着信メールと未読フラグとを対応付けて記憶する。また、記憶部３０１は、スケジュール項目名とスケジュール時刻とを含むスケジュール情報を記憶する。
【００３９】
また、記憶部３０１は、通知間隔時間や、通知継続時間を記憶する。ここでいう「通知間隔時間」は、充電セッティング可能通知を行ってから、充電セッティング可能通知の再通知を行うまでの時間であり、例えば３０分に設定される。例えば、操作入力部１４１が受け付ける操作入力（ユーザによる時間設定操作）に従って、タイマ部２１３が通知間隔時間を設定し、記憶部３０１に書き込む。
【００４０】
また、「通知継続時間」は、充電セッティング可能通知を開始してから当該通知を終了するまでの時間であり、例えば１分に設定される。例えば、操作入力部１４１が受け付ける操作入力（ユーザによる時間設定操作）に従って、タイマ部２１３が通知継続時間を設定し、記憶部３０１に書き込む。
【００４１】
また、表示部１１１と音声出力部１２１とは、第１通知部を構成する。この第１通知部は、通知判定部２１２が通知（充電セッティング可能通知）を行うと判定すると、当該充電セッティング可能通知、すなわち、電源部１８２の有する二次電池への充電を行うセッティングが可能である旨の通知を行う。例えば、通知判定部２１２が、充電を促すメッセージ画面の画像データを表示制御部１１２に出力し、表示制御部１１２は、当該画像データに従って、充電を促すメッセージを表示部１１１に表示させる。また、通知判定部２１２が、チャイム音の音声データを音声処理部１２３に出力し、音声処理部１２３は、当該音声データに従って、チャイム音を音声出力部１２１に出力させる。
【００４２】
なお、音声出力部１２１が、チャイム音を繰り返し出力するようにしてもよいし、所定回数（例えば１回）出力するようにしてもよい。さらには、第１通知部が複数の通知手段を有する場合、通知手段毎に異なる通知継続時間が設定されるようにしてもよい。例えば、表示部１１１が充電を促すメッセージを５分間表示し、一方、音声出力部１２１がチャイム音を１０秒間出力するように設定されていてもよい。
【００４３】
また、第１通知部は、通知判定部２１２が通知（充電セッティング可能通知）を行うと判定し、かつ、電子メール機能部２１５が未読の電子メール有りと判定すると、前記未読の電子メールの確認を促す通知を行う。例えば、通知判定部２１２が、充電を促すメッセージに加えて未読の電子メールの確認を促すメッセージを含む画像データを表示制御部１１２に出力し、表示制御部１１２は、当該画像データに従って、充電を促すメッセージおよび未読の電子メールの確認を促すメッセージを表示部１１１に表示させる。また、通知判定部２１２が、アラームの音声データを音声処理部１２３に出力し、音声処理部１２３は、当該音声データに従って、アラーム音を音声出力部１２１に出力させる。
【００４４】
また、第１通知部は、前記通知判定部が通知（充電セッティング可能通知）を行うと判定し、かつ、前記スケジュール機能部がスケジュール時刻を経過しかつ未確認のスケジュール情報有りと判定すると、前記未確認のスケジュール情報の確認を促す通知を行う。例えば、通知判定部２１２が、充電を促すメッセージに加えて未確認のスケジュールの確認を促すメッセージを含む画像データを表示制御部１１２に出力し、表示制御部１１２は、当該画像データに従って、充電を促すメッセージおよび未確認のスケジュールの確認を促すメッセージを表示部１１１に表示させる。また、通知判定部２１２が、アラームの音声データを音声処理部１２３に出力し、音声処理部１２３は、当該音声データに従って、アラーム音を音声出力部１２１に出力させる。
【００４５】
なお、第１通知部の構成は、上述した表示部１１１と音声処理部１２３とによる構成に限らず、様々な構成とし得る。例えば、第１通知部が表示部１１１または音声処理部１２３のいずれか一方で構成されるようにしてもよいし、あるいは、振動部１３１が第１通知部を構成し、携帯電話機１を振動させることで通知を行うようにしてもよい。
【００４６】
また、表示部１１１と音声出力部１２１とは、第２通知部を構成する。この第２通知部は、タイマ部２１３が測定する継続時間が所定の時間（上述した通知間隔時間）以上になると、音声による充電セッティング可能通知、すなわち、二次電池への充電を行うセッティングが可能である旨の音声通知を行う。その際、第２通知部は、第１通知部が音声通知を行う場合は、当該第１通知部よりも大きい音量で音声通知を行う。上述のように本実施形態では、第１通知部は、音声出力部１２１を含んで音声通知を行う。そこで、第２通知部において、音声出力部１２１は、第１通知部として音声通知を行う場合よりも大きい音量で音声通知を行う。
例えば、通知判定部２１２が、充電を促すメッセージ画面の画像データを表示制御部１１２に出力し、表示制御部１１２は、当該画像データに従って、充電を促すメッセージを表示部１１１に表示させる。また、通知判定部２１２が、第１通知部の場合よりも大音量のチャイム音の音声データを音声処理部１２３に出力し、音声処理部１２３は、当該音声データに従って、第１通知部の場合よりも大音量のチャイム音を音声出力部１２１に出力させる。
【００４７】
なお、第２通知部の構成は、上述した表示部１１１と音声処理部１２３とによる構成に限らず、音声処理部１２３を含む様々な構成とし得る。例えば、第２通知部が音声処理部１２３で構成されるようにしてもよいし、あるいは、音声処理部１２３と振動部１３１が第１通知部を構成し、音声を出力し、携帯電話機１を振動させることで通知を行うようにしてもよい。
【００４８】
また、第１通知部の場合と同様、音声出力部１２１が、チャイム音を繰り返し出力するようにしてもよいし、所定回数出力するようにしてもよい。さらには、第２通知部が複数の通知手段を有する場合、通知手段毎に異なる通知継続時間が設定されるようにしてもよい。
また、第１通知部の場合と同様、第２通知部が、充電を促す通知に加えて未読の電子メールの確認を促す通知や未確認のスケジュールの確認を促す通知を行うようにしてもよい。
【００４９】
次に、図２〜図４を参照して携帯電話機１の動作について説明する。
図２は、携帯電話機１が、充電セッティング可能通知を行う処理手順を示すフローチャートである。携帯電話機１は、電源を接続（ＯＮ）された動作状態において、例えば１時間間隔で同図の処理を繰り返し行う。
【００５０】
図２において、まず、充電部１８１が、電源部１８２の有する二次電池に充電を行っているか否かを判定する（ステップＳ１０１）。充電を行っていると判定した場合（ステップＳ１０１：ＹＥＳ）、同図の処理を終了する。一方、充電を行っていないと判定した場合（ステップＳ１０１：ＮＯ）、通知判定部２１２は、携帯電話機１が充電セッティング可能エリアに位置するか否かの判定に基づいて、充電セッティング可能通知を行うか否かを判定する（ステップＳ１１１）。充電セッティング可能エリアに位置しないと判定した場合（ステップＳ１１１：ＮＯ）、通知判定部２１２は、充電セッティング可能通知を行わないと判定し、同図の処理を終了する。
【００５１】
一方、充電セッティング可能エリアに位置すると判定した場合（ステップＳ１１１：ＹＥＳ）、通知判定部２１２は、充電セッティング可能通知を行うと判定し、まず、通知内容を決定する（ステップＳ１２１）。ここで、通知判定部２１２は、充電セッティング可能通知に加えて、未読の電子メールが有る場合は未読の電子メールが有る旨の通知を行うことに決定して、未読の電子メールの確認をユーザに促す。また、通知判定部２１２は、未確認のスケジュールが有る場合は未確認のスケジュールが有る旨の通知を行うことに決定して、未確認のスケジュールの確認をユーザに促す。詳細については、図３を参照して後述する。
【００５２】
次に、第１通知部としての表示部１１１と音声出力部１２１とが、ステップＳ１２１で決定した内容の通知を開始する（ステップＳ１２２）。
例えば、ステップＳ１２１で充電セッティング可能通知のみを行うことに決定した場合、上述したように、通知判定部２１２が、充電を促すメッセージ画面の画像データを表示制御部１１２に出力し、表示制御部１１２は、当該画像データに従って、充電を促すメッセージを表示部１１１に表示させる。また、通知判定部２１２が、チャイム音の音声データを音声処理部１２３に出力し、音声処理部１２３は、当該音声データに従って、チャイム音を音声出力部１２１に出力させる。
【００５３】
あるいは、ステップＳ１２１で充電セッティング可能通知に加えて未読の電子メールが有る旨の通知（未読の電子メールの確認を促す通知）を行うことに決定した場合、上述したように、通知判定部２１２が、充電を促すメッセージに加えて未読の電子メールの確認を促すメッセージを含む画像データを表示制御部１１２に出力し、表示制御部１１２は、当該画像データに従って、充電を促すメッセージおよび未読の電子メールの確認を促すメッセージを表示部１１１に表示させる。また、通知判定部２１２が、アラームの音声データを音声処理部１２３に出力し、音声処理部１２３は、当該音声データに従って、アラーム音を音声出力部１２１に出力させる。
【００５４】
あるいは、ステップＳ１２１で充電セッティング可能通知に加えて未確認のスケジュールが有る旨の通知（未確認のスケジュールの確認を促す通知）を行うことに決定した場合、上述したように、通知判定部２１２が、充電を促すメッセージに加えて未確認のスケジュールの確認を促すメッセージを含む画像データを表示制御部１１２に出力し、表示制御部１１２は、当該画像データに従って、充電を促すメッセージおよび未確認のスケジュールの確認を促すメッセージを表示部１１１に表示させる。また、通知判定部２１２が、アラームの音声データを音声処理部１２３に出力し、音声処理部１２３は、当該音声データに従って、アラーム音を音声出力部１２１に出力させる。
【００５５】
あるいは、ステップＳ１２１で充電セッティング可能通知に加えて、未読の電子メールが有る旨の通知と未確認のスケジュールが有る旨の通知とを行うことに決定した場合、通知判定部２１２が、充電を促すメッセージに加えて、未読の電子メールの確認を促すメッセージと未確認のスケジュールの確認を促すメッセージとを含む画像データを、表示制御部１１２に出力し、表示制御部１１２は、当該画像データに従って、充電を促すメッセージと未読の電子メールの確認を促すメッセージと未確認のスケジュールの確認を促すメッセージとを表示部１１１に表示させる。また、通知判定部２１２が、アラームの音声データを音声処理部１２３に出力し、音声処理部１２３は、当該音声データに従って、アラーム音を音声出力部１２１に出力させる。
【００５６】
また、タイマ部２１３は、自らの有するタイマをゼロリセットし、ステップＳ１２２で通知を開始してからの経過時間の測定（タイマカウントアップ）を開始する（ステップＳ１２２）。
そして、通知判定部２１２は、タイマ部２１３がステップＳ１２２で測定を開始した経過時間と、記憶部３０１が記憶する通知継続時間とを比較して、当該通知継続時間を経過したか否かを判定する（ステップＳ１２３）。通知継続時間を経過したと判定した場合（ステップＳ１２３：ＹＥＳ）、第１通知部は、ステップＳ１２２で開始した通知を終了する（ステップＳ１３１）。例えば、充電セッティング可能通知のみを行っている場合、表示部１１１が、充電を促すメッセージの表示を終了し、音声出力部１２１が、チャイム音の出力を終了する。
そして、携帯電話機１は、図４を用いて後述する再通知処理を行い（ステップＳ１３２）、その後、図２の処理を終了する。
【００５７】
一方、ステップＳ１２３において、通知継続時間を経過していないと判定した場合（ステップＳ１２３：ＮＯ）、通知判定部２１２は、操作入力部１４１が確認操作入力を受け付けたか否かを判定する（ステップＳ１４１）。ここでいう「確認操作入力」は、ユーザが通知内容を確認したことを示す操作入力である。
例えば、操作入力部１４１の有する決定キーが予め確認キーに設定されている。そして、充電セッティング可能通知を行っている状態で、操作入力部１４１が決定キーの押下を受け付けると、通知判定部２１２は、操作入力部１４１が確認操作入力を受け付けたと判定する。
また、ステップＳ１２２で未読の電子メールが有る旨の通知を行っている場合は、操作入力部１４１が、未読の電子メールを表示部１１１に表示させる操作入力を受け付けたときも、通知判定部２１２は、操作入力部１４１が確認操作入力を受け付けたと判定する。
また、ステップＳ１２２で未確認のスケジュールが有る旨の通知を行っている場合は、操作入力部１４１が、未確認のスケジュールを表示部１１１に表示させる操作入力を受け付けたときも、通知判定部２１２は、操作入力部１４１が確認操作入力を受け付けたと判定する。
【００５８】
ステップＳ１４１において、確認操作入力を受け付けていないと判定した場合（ステップＳ１４１：ＮＯ）、充電部１８１は、電源部１８２の有する二次電池に充電を行っているか否かを判定する（ステップＳ１５１）。充電を行っていないと判定した場合（ステップＳ１５１：ＮＯ）、通知判定部２１２は、携帯電話機１が充電セッティング可能エリアに位置するか否かを判定する（ステップＳ１６１）。充電セッティング可能エリアに位置すると判定した場合（ステップＳ１６１：ＹＥＳ）、ステップＳ１２３に戻る。
【００５９】
一方、ステップＳ１４１において、確認操作入力を受け付けたと判定した場合（ステップＳ１４１：ＹＥＳ）や、ステップＳ１５１において、充電を行っていると判定した場合（ステップＳ１５１：ＹＥＳ）や、ステップＳ１６１において、充電セッティング可能エリアに位置しないと判定した場合（ステップＳ１６１：ＮＯ）、第１通知部は、ステップＳ１２２で開始した通知を終了する（ステップＳ１７１）。その後、携帯電話機１は、図２の処理を終了する。そして、例えば図２の処理を終了してから１時間経過後に、携帯電話機１は、同図の処理を繰り返す。
【００６０】
図３は、携帯電話機１が通知内容を決定する処理手順を示すフローチャートである。携帯電話機１は、図２のステップＳ１２１、および、後述する図４のステップＳ３３１において図３の処理を行う。
図３において、まず、電子メール機能部２１５が、未読の電子メールの有無を判定する（ステップＳ２０１）。未読の電子メール無しと判定した場合（ステップＳ２０１：ＮＯ）、スケジュール機能部２１６が、未確認のスケジュールの有無を判定する（ステップＳ２１１）。未確認のスケジュール無しと判定した場合（ステップＳ２１１：ＮＯ）、通知判定部２１２は、通知内容を、充電セッティング可能通知に決定する（ステップＳ２２１）。その後、携帯電話機１は、同図の処理を終了する。
一方、ステップＳ２１１において、未確認のスケジュール有りと判定した場合（ステップＳ２１１：ＹＥＳ）、通知判定部２１２は、通知内容を、充電セッティング可能通知と、未確認スケジュールが有る旨の通知とに決定する（ステップＳ２３１）。その後、携帯電話機１は、同図の処理を終了する。
【００６１】
一方、ステップＳ２０１において、未読の電子メール有りと判定した場合（ステップＳ２０１：ＹＥＳ）、スケジュール機能部２１６が、未確認のスケジュールの有無を判定する（ステップＳ２４１）。未確認のスケジュール無しと判定した場合（ステップＳ２４１：ＮＯ）、通知判定部２１２は、通知内容を、充電セッティング可能通知と、未読の電子メールが有る旨の通知とに決定する（ステップＳ２５１）。その後、携帯電話機１は、同図の処理を終了する。
一方、ステップＳ２４１において、未確認のスケジュール有りと判定した場合（ステップＳ２４１：ＹＥＳ）、通知判定部２１２は、通知内容を、充電セッティング可能通知と、未読の電子メールが有る旨の通知と、未確認スケジュールが有る旨の通知とに決定する（ステップＳ２６１）。その後、携帯電話機１は、同図の処理を終了する。
【００６２】
図４は、携帯電話機１が、充電セッティング可能通知の再通知を行う処理手順を示すフローチャートである。携帯電話機１は、図２のステップＳ１３２において、図４の処理を行う。
図４において、まず、タイマ部２１３が、自らの有するタイマをゼロリセットし、図２で充電セッティング可能通知を行ってから（本実施形態では終了してから）の経過時間の測定（タイマカウントアップ）を開始する（ステップＳ３０１）。
【００６３】
次に、移動有無判定部２１１は、位置関連情報取得部１０１が取得する位置関連情報に基づいて、携帯電話機１が移動したか否かを判定する（ステップＳ３０２）。携帯電話機１が移動したと判定した場合（ステップＳ３０２：ＹＥＳ）、携帯電話機１は、図４の処理を終了する。
一方、携帯電話機１が移動していないと判定した場合（ステップＳ３０２：ＮＯ）、充電部１８１は、電源部１８２の有する二次電池に充電を行っているか否かを判定する（ステップＳ３１１）。充電を行っていると判定した場合（ステップＳ３１１：ＹＥＳ）、携帯電話機１は、図４の処理を終了する。
【００６４】
一方、充電を行っていないと判定した場合（ステップＳ３１１：ＮＯ）、通知判定部２１２は、タイマ部２１３がステップＳ３０１で測定を開始した経過時間と、記憶部３０１が記憶する通知間隔時間とを比較して、当該通知間隔時間を経過したか否かを判定する（ステップＳ３２１）。通知間隔時間を経過していないと判定した場合（ステップＳ３２１：ＮＯ）、ステップＳ３０２に戻る。
【００６５】
一方、通知間隔時間を経過したと判定した場合（ステップＳ３２１：ＹＥＳ）、通知判定部２１２は、充電セッティング可能通知を行うと判定する。そして、携帯電話機１は、図３で説明した処理を行って、通知内容を決定する（ステップＳ３３１）。
【００６６】
次に、第２通知部としての表示部１１１と音声出力部１２１とが、ステップＳ３３１で決定した内容の通知を開始する（ステップＳ３３２）。その際、音声出力部１２１は、ステップＳ１２２（図２）において第１通知部として音声通知を行う場合よりも大きい音量で音声通知を行う。
例えば、ステップＳ３３１で充電セッティング可能通知のみを行うことに決定した場合、ステップＳ１２２の場合と同様、表示部１１１が、充電を促すメッセージを表示する。また、音声出力部１２１は、チャイム音を、ステップＳ１２２の場合よりも大きい音量で出力する。
【００６７】
また、タイマ部２１３は、自らの有するタイマをゼロリセットし、ステップＳ３３２で充電セッティング可能通知を開始してからの経過時間の測定（タイマカウントアップ）を開始する（ステップＳ３３３）。
そして、通知判定部２１２は、タイマ部２１３がステップＳ３３３で測定を開始した経過時間と、記憶部３０１が記憶する通知継続時間とを比較して、当該通知継続時間を経過したか否かを判定する（ステップＳ３３４）。
通知継続時間を経過していないと判定した場合（ステップＳ３３４：ＮＯ）、通知判定部２１２は、操作入力部１４１が確認操作入力を受け付けたか否かを判定する（ステップＳ３４１）。
確認操作入力を受け付けていないと判定した場合（ステップＳ３４１：ＮＯ）、充電部１８１は、電源部１８２の有する二次電池に充電を行っているか否かを判定する（ステップＳ３５１）。充電を行っていないと判定した場合（ステップＳ３５１：ＮＯ）、通知判定部２１２は、携帯電話機１が充電セッティング可能エリアに位置するか否かを判定する（ステップＳ３６１）。充電セッティング可能エリアに位置すると判定した場合（ステップＳ３６１：ＹＥＳ）、ステップＳ３３４に戻る。
【００６８】
一方、ステップＳ３３４において、通知継続時間を経過したと判定した場合（ステップＳ３３４：ＹＥＳ）や、
ステップＳ３４１において、確認操作入力を受け付けたと判定した場合（ステップＳ３４１：ＹＥＳ）や、ステップＳ３５１において、充電を行っていると判定した場合（ステップＳ３５１：ＹＥＳ）や、ステップＳ３６１において、充電セッティング可能エリアに位置しないと判定した場合（ステップＳ３６１：ＮＯ）、第２通知部は、ステップＳ３３２で開始した通知を終了する（ステップＳ３７１）。その後、携帯電話機１は、図４の処理を終了する。
【００６９】
以上のように、第１通知部としての表示部１１１および音声出力部１２１が、充電セッティング可能通知を行った後、移動有無判定部２１１が、携帯電話機１が移動したか否かを判定する。そして、移動有無判定部２１１が、携帯電話機１が移動していないと判定した場合、充電部１８１が、電源部１８２の有する二次電池への充電が行われているか否かを判定する。さらに、通知判定部２１２は、充電セッティング可能通知を行ってから、携帯電話機１が移動していないと判定され、電源部１８２の有する二次電池への充電が行われていないと判定される状態の継続時間が、所定の通知間隔時間以上になったか否かを判定し、通知間隔時間以上になったと判定すると、第２通知部としての表示部１１１および音声出力部１２１が、充電セッティング可能通知を再度行う。その際、音声出力部１２１は、第１通知部としての充電セッティング可能通知の場合よりも大きい音量で通知を行う。
【００７０】
ここで、第１通知部としての表示部１１１および音声出力部１２１が、充電セッティング可能通知を行っても、携帯電話機１の移動が検出されず、また、電源部１８２の有する二次電池への充電も検出されない状態が継続する場合、携帯電話機１が置き忘れられている可能性が高い。
例えば、携帯電話機１が、鞄の中に置き忘れられている場合や、ユーザがいる部屋とは別の部屋に置き忘れられている場合、ユーザは、充電セッティング可能通知に気付かないために、携帯電話機１をそのまま放置することが考えられる。
【００７１】
このように、携帯電話機１が鞄の中に置き忘れられている場合や、ユーザがいる部屋とは別の部屋に置き忘れられている場合など、ユーザへの通知が比較的困難な場合に、第２通知部としての音声出力部１２１が、より大きい音量で通知を行うことで、携帯電話機１を充電することが可能な状況にあることを、より確実にユーザに通知することができる。
また、携帯電話機１が移動していないと判定される場合、ユーザに携帯電話機１を携帯する習慣がない可能性がある。このような場合に、携帯電話機１（第２通知部としての表示部１１１および音声出力部１２１）がユーザに対して通知を行うことで、携帯電話機１を携帯していないことをユーザに気付かせ、携帯電話機１を携帯するよう習慣付けし得る。
【００７２】
また、移動有無判定部２１１が、携帯電話機１が移動したか否かを判定することで、ユーザが携帯電話機１を携帯しており、ユーザへの通知が比較的容易な場合に、より大きな音量での通知を抑制して、携帯電話機１の電力消費を抑えることができる。
【００７３】
また、充電部１８１が、充電器から送信される電波を受信して、電源部１８２の有する二次電池への充電を開始すると、振動部１３１は、携帯電話機１を振動させることによる通知を行う。これにより、電源部１８２の有する二次電池への充電の有無を、より確実にユーザに通知することができる。
例えば、携帯電話機１が発光ダイオード（Light Emitting Diode；ＬＥＤ）を有し、当該発光ダイオードを発光させて充電開始の通知を行う場合、この発光ダイオードがユーザから見えない面に配置されているときは、ユーザは、充電の有無を確認するために携帯電話機１の向きを変えるなどして発光ダイオードの発光の有無を確認する必要があり、ユーザにとって手間となる。また、携帯電話機１が音声を用いて充電開始の通知を行う場合、ユーザの周囲の騒音が大きいときは、ユーザが通知音声を聞き取れないおそれがある。そこで、振動部１３１が携帯電話機１を振動させて充電開始の通知を行うことで、電源部１８２の有する二次電池への充電の有無を、より確実にユーザに通知することができる。
【００７４】
また、通知判定部２１２が通知を行うと判定し、かつ、電子メール機能部２１５が未読の電子メール有りと判定すると、第１通知部あるいは第２通知部としての表示部１１１および音声出力部１２１は、充電セッティング可能通知に加えて、未読の電子メールの確認を促す通知を行う。
ここで、未読の電子メールが有る場合、ユーザに電子メールを確認する習慣が無いことが考えられ、ひいては、携帯電話機１を携帯して携帯電話機１を利用する習慣が無い可能性がある。
【００７５】
このような場合に、第１通知部あるいは第２通知部としての表示部１１１および音声出力部１２１が、未読の電子メールの確認を促す通知を行うことで、電子メールを未読であることをユーザに気付かせ、電子メールを確認するよう習慣付け、ひいては、携帯電話機１を携帯して携帯電話機１を利用するよう習慣付けし得る。
【００７６】
また、通知判定部２１２が通知を行うと判定し、かつ、スケジュール機能部２１６が未確認のスケジュール有りと判定すると、第１通知部あるいは第２通知部としての表示部１１１および音声出力部１２１は、充電セッティング可能通知に加えて、未確認のスケジュールの確認を促す通知を行う。
ここで、未確認のスケジュールが有る場合、スケジュールを確認する習慣がユーザに無いことが考えられ、ひいては、携帯電話機１を携帯して携帯電話機１を利用する習慣が無い可能性がある。
【００７７】
このような場合に、第１通知部あるいは第２通知部としての表示部１１１および音声出力部１２１が、未確認のスケジュールの確認を促す通知を行うことで、スケジュールを未確認であることをユーザに気付かせ、スケジュールを確認するよう習慣付け、ひいては、携帯電話機１を携帯して携帯電話機１を利用するよう習慣付けし得る。
【００７８】
なお、制御部２００の全部または一部の機能を実現するためのプログラムをコンピュータ読み取り可能な記録媒体に記録して、この記録媒体に記録されたプログラムをコンピュータシステムに読み込ませ、実行することで各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７９】
以上、本発明の実施形態を図面を参照して詳述してきたが、具体的な構成はこの実施形態に限られるものではなく、この発明の要旨を逸脱しない範囲の設計変更等も含まれる。
【符号の説明】
【００８０】
１  携帯電話機
１０１  位置関連情報取得部
１１１  表示部
１１２  表示制御部
１２１  音声出力部
１２２  音声入力部
１２３  音声処理部
１３１  振動部
１４１  操作入力部
１７１  無線部
１８１  充電部
１８２  電源部
２００  制御部
２０２  振動制御部
２０３  入力処理部
２１１  移動有無判定部
２１２  通知判定部
２１３  タイマ部
２１４  音声通話機能部
２１５  電子メール機能部
２１６  スケジュール機能部
３０１  記憶部
【図１】
2012257009.tif 000003
【図２】
2012257009.tif 000004
【図３】
2012257009.tif 000005
【図４】
2012257009.tif 000006